(57)【要約】【課題】光源が白色ＬＥＤバックライトである場合において、光源の駆動制御により表示映像の色温度を可変すること。【解決手段】液晶パネル１０１は、映像を表示する。白色ＬＥＤバックライト１０２は、白色ＬＥＤ１０６を有し、液晶パネル１０１を照明する。白色ＬＥＤ駆動部１０３は、白色ＬＥＤ１０６の駆動パルスを生成する。制御データ演算部１０４は、生成される駆動パルスの電流値を増大又は低減させることにより、白色ＬＥＤバックライト１０２の色温度を制御する。制御データ演算部１０４は、生成される駆動パルスのデューティ比を、増大又は低減される電流値に応じて決定する。【選択図】図６
2010032732.tif 000002
【特許請求の範囲】
【請求項１】
映像を表示する液晶パネルと、
白色発光ダイオードを有し、前記液晶パネルを照明するバックライトと、
前記白色発光ダイオードの駆動パルスを生成する生成部と、
生成される駆動パルスの電流値を増大又は低減させることにより、前記バックライトの色温度を制御する制御部と、を有し、
前記制御部は、
生成される駆動パルスのデューティ比を、増大又は低減される電流値に応じて決定する、
液晶表示装置。
【請求項２】
前記制御部は、
前記電流値を増大させるときには、前記バックライトの輝度を一定に維持するよう前記デューティ比を低減させ、
前記電流値を低減させるときには、前記バックライトの輝度を一定に維持するよう前記デューティ比を増大させる、
請求項１記載の液晶表示装置。
【請求項３】
映像信号に基づいて映像を表示する液晶パネルと、
白色発光ダイオードを有し、前記液晶パネルを照明するバックライトと、
前記白色発光ダイオードの駆動パルスを生成する生成部と、
前記映像信号の特徴量又は環境光の特徴量を検出する検出部と、
生成される駆動パルスの電流値を、検出される特徴量に応じて増大又は低減させることにより、前記バックライトの色温度を制御する制御部と、
を有する液晶表示装置。
【請求項４】
前記制御部は、
生成される駆動パルスのデューティ比を、増大又は低減される電流値に応じて決定する、
請求項３記載の液晶表示装置。
【請求項５】
前記白色発光ダイオードは、ＹＡＧ系蛍光体を有し、
前記バックライトは、前記ＹＡＧ系蛍光体の作用により白色化された光で前記液晶パネルを照明し、
前記制御部は、
前記電流値を増大させることにより、前記バックライトの色温度を上昇させ、
前記電流値を低減させることにより、前記バックライトの色温度を下降させる、
請求項１又は請求項３記載の液晶表示装置。
【請求項６】
前記白色発光ダイオードは、シリケート系蛍光体を有し、
前記バックライトは、前記シリケート系蛍光体の作用により白色化された光で前記液晶パネルを照明し、
前記制御部は、
前記電流値を増大させることにより、前記バックライトの色温度を下降させ、
前記電流値を低減させることにより、前記バックライトの色温度を上昇させる、
請求項１又は請求項３記載の液晶表示装置。
【発明の詳細な説明】
【技術分野】
【０００１】
本発明は、液晶表示装置に関する。
【背景技術】
【０００２】
液晶表示装置の一種に、発光ダイオード（ＬＥＤ：Light Emitting Diode）を配列してなるＬＥＤバックライトを用いて液晶パネルを照明するものがある。
【０００３】
液晶パネルは一般に、液晶、偏光板及びカラーフィルタ等の影響により光の波長に応じて透過率が異なるという性質を有する。よって、入力映像信号の輝度レベルが低い場合に、液晶パネルの表示映像において黒が青みを帯びて見えることがある。
【０００４】
この問題に対処するために、液晶表示装置において表示映像の色温度制御が行われることがある。
【０００５】
例えば特許文献１に記載された従来の液晶表示装置は、入力映像信号の輝度レベルに応じてＬＥＤバックライトの色温度を制御する。より具体的には、入力映像信号の輝度レベルが低下した場合には、例えばＢ光源としての青色ＬＥＤの輝度レベルが他色の光源の輝度レベルよりも低減され、これにより、表示映像において青みがかった黒が補正される。
【特許文献１】特開２００８−１５２００８号公報
【発明の開示】
【発明が解決しようとする課題】
【０００６】
上記従来の液晶表示装置においては、制御されるＬＥＤバックライトは、異なる色の光源を有する構成を採るものである。ＬＥＤバックライトには、複数色のＬＥＤ（例えば、Ｒ（赤）、Ｇ（緑）及びＢ（青）の３色のＬＥＤ）を配列してなるもののほか、白色ＬＥＤを配列してなるもの（白色ＬＥＤバックライト）もある。しかしながら、白色ＬＥＤバックライトの使用を前提とした場合に、色温度を如何にして制御するかについての提案は、あまり盛んには行われていない。
【０００７】
本発明は、かかる点に鑑みてなされたもので、光源が白色ＬＥＤバックライトである場合において、光源の駆動制御により表示映像の色温度を可変することができる液晶表示装置を提供することを目的とする。
【課題を解決するための手段】
【０００８】
本発明の液晶表示装置は、映像を表示する液晶パネルと、白色発光ダイオードを有し、前記液晶パネルを照明するバックライトと、前記白色発光ダイオードの駆動パルスを生成する生成部と、生成される駆動パルスの電流値を増大又は低減させることにより、前記バックライトの色温度を制御する制御部と、を有し、前記制御部は、生成される駆動パルスのデューティ比を、増大又は低減される電流値に応じて決定する、構成を採る。
【０００９】
本発明の液晶表示装置は、映像信号に基づいて映像を表示する液晶パネルと、白色発光ダイオードを有し、前記液晶パネルを照明するバックライトと、前記白色発光ダイオードの駆動パルスを生成する生成部と、前記映像信号の特徴量又は環境光の特徴量を検出する検出部と、生成される駆動パルスの電流値を、検出される特徴量に応じて増大又は低減させることにより、前記バックライトの色温度を制御する制御部と、を有する構成を採る。
【発明の効果】
【００１０】
本発明によれば、光源が白色ＬＥＤバックライトである場合において、光源の駆動制御により表示映像の色温度を可変することができる。
【発明を実施するための最良の形態】
【００１１】
以下、本発明の実施の形態について、図面を用いて詳細に説明する。
【００１２】
（実施の形態１）
図１は、本発明の実施の形態１に係る液晶表示装置の構成を示すブロック図である。
【００１３】
液晶表示装置１００は、液晶パネル１０１、白色ＬＥＤバックライト１０２、白色ＬＥＤ駆動部１０３、制御データ演算部１０４及び信号輝度レベル検出部１０５を有する。
【００１４】
液晶パネル１０１は、透過型又は半透過型の液晶パネルである。液晶パネル１０１は、白色ＬＥＤバックライト１０２から発せられた光を透過し、この透過光を、表示画面たる前面から出射する。このとき、液晶駆動部（図示せず）が、液晶パネル１０１を駆動する駆動電圧を、液晶パネル１０１の表示画面に表示されるべき映像を示すディジタル信号である映像信号に基づいて制御し、これにより液晶パネル１０１の透過率を制御する。この制御の結果として、液晶パネル１０１は映像を表示する。
【００１５】
白色ＬＥＤバックライト１０２は、図２に示すように、多数の白色ＬＥＤ１０６を有し、これらの白色ＬＥＤ１０６を基板上に略平面状に、液晶パネル１０１の背面に向けて配列してなる直下型のバックライト装置である。白色ＬＥＤバックライト１０２は、液晶パネル１０１の背面側に配置され、白色ＬＥＤ１０６から発せられる白色光で液晶パネル１０１を照明する。
【００１６】
なお、白色ＬＥＤバックライト１０２はエッジライト型のバックライト装置でもよい。
【００１７】
白色ＬＥＤ１０６は、単色（例えば青色）ＬＥＤと蛍光体とを主として有するＬＥＤ装置であり、白色ＬＥＤ駆動部１０３から印加される駆動パルスにより駆動されて白色光を発光する。すなわち、白色ＬＥＤ１０６は、駆動パルスが印加されるときに単色のＬＥＤから発せられる光が蛍光体に透過され蛍光体の作用により白色化されるように、構成される。
【００１８】
なお、本実施の形態では、白色ＬＥＤ１０６は、単色ＬＥＤと蛍光体とを有する構成により白色光を発光するＬＥＤ装置であるが、他の構成により白色光を発光するＬＥＤ装置でもよい。ただし、異なる色のＬＥＤを有する構成を採り、これらのＬＥＤからそれぞれ発せられた光を混合して白色光を発光するＬＥＤ装置は一般に、ＬＥＤの駆動を発色光ごとに制御し得るが、白色ＬＥＤ１０６はそのような構成を採らない。
【００１９】
検出部としての信号輝度レベル検出部１０５は、映像信号の特徴量として平均輝度レベル（ＡＰＬ）を検出する回路である。
【００２０】
なお、信号輝度レベル検出部１０５は、平均輝度レベルに加えて、或いは平均輝度レベルの代わりに、最大輝度レベル（ＭＡＸ）及び最小輝度レベル（ＭＩＮ）等の輝度レベルを特徴量として検出してもよい。この場合、信号輝度レベル検出部１０５は、映像において輝度レベルが最大又は最小となる部分の面積又は位置を併せて検出してもよい。
【００２１】
制御部としての制御データ演算部１０４は、白色ＬＥＤバックライト１０２の色温度を制御するために、白色ＬＥＤ１０６の駆動パルスにおける電流値とデューティ比とを、検出された特徴量に基づいて演算する演算処理回路である。制御データ演算部１０４は、演算された電流値とデューティ比とを示す制御データを生成し、生成された制御データを白色ＬＥＤ駆動部１０３に出力する。
【００２２】
生成部としての白色ＬＥＤ駆動部１０３は、白色ＬＥＤ１０６を駆動する駆動パルスを、制御データ演算部１０４から入力される制御データに従って生成し、生成された駆動パルスを白色ＬＥＤ１０６に印加する回路である。
【００２３】
図３は、生成される白色ＬＥＤの駆動パルスの一例を示す図である。図示された駆動パルス１１０は、デューティ比Ｄ（％）＝パルス幅ｔＯＮ／パルス周期ｔＰＥＲＩＯＤ且つ電流値Ｉの矩形パルスである。
【００２４】
以上、液晶表示装置１００の構成について説明した。
【００２５】
次いで、液晶表示装置１００におけるＬＥＤ駆動パルス制御の動作について説明する。ここでは、検出される特徴量が映像信号の平均輝度レベルであり、制御される白色ＬＥＤ１０６の駆動パルスが図３に示す駆動パルス１１０である場合を例にとって説明する。
【００２６】
図４は、液晶表示装置１００におけるＬＥＤ駆動パルス制御の一例を示すフロー図である。
【００２７】
まず、ステップＳ１００では、信号輝度レベル検出部１０５が、液晶パネル１０１の液晶駆動部（図示せず）に入力される映像信号を取得し、取得した映像信号の平均輝度レベル（ＡＰＬ）を検出する。
【００２８】
そして、ステップＳ２００では、制御データ演算部１０４が、駆動パルス１１０の電流値Ｉとパルス幅ｔＯＮとを、ステップＳ１００で検出した平均輝度レベルに基づいて決定する。詳細は後述する。
【００２９】
そして、ステップＳ３００では、制御データ演算部１０４が、ステップＳ２００で決定した電流値Ｉとパルス幅ｔＯＮとを示す制御データを生成し、生成した制御データを白色ＬＥＤ駆動部１０３に出力する。
【００３０】
よって、白色ＬＥＤ駆動部１０３は、入力された制御データに従って、電流値がＩでありパルス幅がｔＯＮである駆動パルス１１０を生成する。
【００３１】
このようにして駆動パルス１１０の電流値Ｉ及びデューティ比Ｄを制御することにより、白色ＬＥＤバックライト１０２の色温度と輝度とを同時に且つ自在に制御することができる。
【００３２】
ここで、上記ステップＳ２００での処理について、図５を用いてより詳しく説明する。
【００３３】
ステップＳ２０１では、制御データ演算部１０４は、平均輝度レベルに基づいて白色ＬＥＤバックライト１０２の色温度と輝度とを決定する。白色ＬＥＤバックライト１０２の色温度は、平均輝度レベルが高いほど高くなり、平均輝度レベルが低いほど低くなるように、決定される。
【００３４】
そして、ステップＳ２０２では、制御データ演算部１０４は、ステップＳ２０１で決定した色温度に基づいて、駆動パルス１１０の電流値Ｉを決定する。
【００３５】
例えば、白色ＬＥＤ１０６における蛍光体がＹＡＧ系蛍光体である場合には、電流値Ｉは、決定された白色ＬＥＤバックライト１０２の色温度が高いほど高くなり、決定された白色ＬＥＤバックライト１０２の色温度が低いほど低くなるように、決定される。
【００３６】
そして、ステップＳ２０３では、制御データ演算部１０４は、ステップＳ２０２で決定した電流値Ｉに応じて、ステップＳ２０１で決定した白色ＬＥＤバックライト１０２の輝度が実現されるよう、駆動パルス１１０のパルス幅ｔＯＮを決定する。
【００３７】
図６は、ＬＥＤ駆動パルス制御により電流値とデューティ比との双方が可変された駆動パルスの一例を示す図である。
【００３８】
駆動パルス１１０ａは、電流値Ｉ１を有し、この電流値Ｉ１に応じて決定されたパルス幅ｔＯＮ1を有する。駆動パルス１１０ｂは、電流値Ｉ２を有し、この電流値Ｉ２に応じて決定されたパルス幅ｔＯＮ２を有する。電流値Ｉ２は電流値Ｉ１よりも高い。また、パルス幅ｔＯＮ２はパルス幅ｔＯＮ１よりも短く、よって駆動パルス１１０ｂのデューティ比（ｔＯＮ２／ｔＰＥＲＩＯＤ）は、駆動パルス１１０ａのデューティ比（ｔＯＮ１／ｔＰＥＲＩＯＤ）よりも低い。
【００３９】
ここで、白色ＬＥＤバックライト１０２の輝度は、駆動パルス１１０の電流値Ｉとパルス幅ｔＯＮとの積に基づいて決まる。よって、制御データ演算部１０４は、白色ＬＥＤバックライト１０２の輝度を一定に維持しつつ白色ＬＥＤバックライト１０２の色温度を可変する場合には、パルス幅ｔＯＮを、電流値Ｉが大きいほど短くし、電流値Ｉが小さいほど長くするように、決定する。
【００４０】
具体的には、図６に示すように、電流値ＩがＩ１からＩ２に（例えば１０倍に）増大されるときには、パルス幅ｔＯＮがｔＯＮ１からｔＯＮ２に（例えば１／１０倍に）縮小される。或いは、電流値ＩがＩ２からＩ１に（例えば１／１０倍に）低減されるときには、パルス幅ｔＯＮがｔＯＮ２からｔＯＮ１に（例えば１０倍に）拡大される。いずれの場合でも、白色ＬＥＤバックライト１０２の輝度を一定に維持しつつ、白色ＬＥＤバックライト１０２の色温度を可変することができる。
【００４１】
次に、白色ＬＥＤ１０６における蛍光体と白色ＬＥＤバックライト１０２の色温度制御との関係について説明する。
【００４２】
蛍光体がＹＡＧ系蛍光体である場合には、白色ＬＥＤ１０６は、図７に示すように、駆動パルス１１０の電流値Ｉが低くなるにつれて色温度が低くなり（色度点が赤の領域に近づく）、駆動パルス１１０の電流値Ｉが高くなるにつれて色温度が高くなる（色度点が青の領域に近づく）という性質を有する。
【００４３】
よって、ＹＡＧ蛍光体を有する白色ＬＥＤ１０６を前提とすると、入力映像信号の平均輝度レベルが低い場合には、白色ＬＥＤバックライト１０２の色温度を低くするために、電流値Ｉを低減させる制御が行われる。また、入力映像信号の平均輝度レベルが高い場合には、白色ＬＥＤバックライト１０２の色温度を高くするために、電流値Ｉを増大させる制御が行われる。
【００４４】
また、蛍光体がシリケート系蛍光体（例えば、Ｅｕ２＋付活アルカリ土類金属正珪酸塩蛍光体）である場合には、白色ＬＥＤ１０６は、図８に示すように、駆動パルス１１０の電流値Ｉが高くなるにつれて色温度が低くなり（色度点が赤の領域に近づく）、駆動パルス１１０の電流値Ｉが低くなるにつれて色温度が高くなる（色度点が青の領域に近づく）という性質を有する。
【００４５】
よって、シリケート系蛍光体を有する白色ＬＥＤ１０６を前提とすると、入力映像信号の平均輝度レベルが低い場合には、白色ＬＥＤバックライト１０２の色温度を低くするために、電流値Ｉを増大させる制御が行われる。また、入力映像信号の平均輝度レベルが高い場合には、白色ＬＥＤバックライト１０２の色温度を高くするために、電流値Ｉを低減させる制御が行われる。
【００４６】
蛍光体の種類がいずれの場合でも、上記のように駆動パルス１１０が制御されると、白色ＬＥＤバックライト１０２の色温度が可変され、これにより、液晶パネル１０１の性質に起因する現象を軽減し、理想的には解消することができる。ここで、液晶パネル１０１の性質に起因する現象とは、図９から分かるように、映像信号の輝度レベルが低くなるにつれて色温度が高くなり、映像信号の輝度レベルが高くなるにつれて色温度が低くなることを意味する。したがって、映像信号の輝度レベルが高いときには、青く輝く白を表示画面に表示することができ、映像信号の輝度レベルが低いときには、青みを抑えられた黒を表示画面に表示することができる。
【００４７】
図１０は、ＬＥＤ駆動パルス制御により電流値のみが可変された駆動パルスの一例を示す図である。
【００４８】
まず、ケース１として、駆動パルス１１０ｃが生成されているときに平均輝度レベルが低下した場合を想定する。この場合、制御データ演算部１０４は、低下した平均輝度レベルに応じて電流値をＩ３からＩ４に低減させ、電流値Ｉ４とパルス幅ｔＯＮ３とを示す制御データを白色ＬＥＤ駆動部１０３に出力する。そして、白色ＬＥＤ駆動部１０３は、制御データに従って駆動パルス１１０ｄを生成する。
【００４９】
これにより、白色ＬＥＤバックライト１０２の輝度を低下させることができる。また、白色ＬＥＤ１０６がＹＡＧ系蛍光体を有する場合には、白色ＬＥＤバックライト１０２の色温度を低下させることができ、黒の青みを改善することができる。また、これらを、駆動パルス１１０の電流値Ｉを可変するだけで、同時に実現することができる。
【００５０】
なお、白色ＬＥＤ１０６がシリケート系蛍光体を有する場合には、白色ＬＥＤバックライト１０２の色温度は上昇する。よって、シリケート系蛍光体を有する場合に輝度を低下させつつ色温度を低下させたい場合には、電流値Ｉを上昇させつつ、それ以上の割合でデューティ比を低減することによって実現することができる。
【００５１】
次に、ケース２として、駆動パルス１１０ｃが生成されているときに平均輝度レベルが上昇した場合を想定する。この場合、制御データ演算部１０４は、上昇した平均輝度レベルに応じて電流値をＩ３からＩ５に増大させ、電流値Ｉ５とパルス幅ｔＯＮ３とを示す制御データを白色ＬＥＤ駆動部１０３に出力する。そして、白色ＬＥＤ駆動部１０３は、制御データに従って駆動パルス１１０ｅを生成する。
【００５２】
これにより、白色ＬＥＤバックライト１０２の輝度を上昇させることができる。また、白色ＬＥＤ１０６がＹＡＧ系蛍光体を有する場合には、白色ＬＥＤバックライト１０２の色温度を上昇させることができ、白輝度の低下を抑制することができる。また、これらを、駆動パルス１１０の電流値Ｉを可変するだけで、同時に実現することができる。
【００５３】
なお、白色ＬＥＤ１０６がシリケート系蛍光体を有する場合には、白色ＬＥＤバックライト１０２の色温度は低下する。よって、シリケート系蛍光体を有する場合に輝度を上昇させつつ色温度を上昇させたい場合には、電流値Ｉを低下させつつ、それ以上の割合でデューティ比を増大することによって実現することができる。
【００５４】
以上のように、本実施の形態によれば、白色ＬＥＤバックライトにおける白色ＬＥＤの駆動パルスの電流値を増大又は低減させることにより、白色ＬＥＤバックライトの色温度を可変する。これにより、光源が白色ＬＥＤバックライトである場合に、光源の駆動制御により表示映像の色温度を可変することができる。
【００５５】
一般に白色ＬＥＤバックライトは、蛍光管とは異なり、その駆動を制御することにより色温度を制御することができる。しかし、バックライトの色温度を可変することは、表示映像への影響を考慮すると必ずしも望ましいことではない。よって、白色ＬＥＤバックライトを有する液晶表示装置においては、バックライトの輝度を可変するには駆動パルスのデューティ比のみが可変され、駆動パルスの電流値はバックライトの色温度が変わらないよう固定又は制御されるのが一般的である。これに対し本実施の形態では、白色ＬＥＤバックライトの駆動制御における従来の常識を覆し、駆動パルスの電流値を積極的に可変する。したがって、従来と同様に光源の輝度を制御することができるのはもちろんのこと、表示映像における黒の青み補正等の有効な色温度制御を、輝度制御と一緒に実行することができるという顕著な効果をもたらすことができる。
【００５６】
なお、白色ＬＥＤバックライト１０２が直下型のバックライト装置である場合には、配列された多数の白色ＬＥＤ１０６をエリアごとに分け、分けられた白色ＬＥＤ１０６のグループごとに、本実施の形態のＬＥＤ駆動パルス制御を実行すると、さらに有利である。例えば、ある１つのエリアに属する白色ＬＥＤ１０６のグループには、図１０に示す駆動パルス１１０ｄを印加する制御を実行すると同時に、他のエリアに属する白色ＬＥＤ１０６のグループには、図１０に示す駆動パルス１１０ｅを印加する制御を実行する。これにより、エリアごとに輝度制御と色温度制御とを行うことができる。
【００５７】
（実施の形態２）
図１１は、本発明の実施の形態２に係る液晶表示装置の構成を示すブロック図である。図１１に示す液晶表示装置２００において、図１に示す液晶表示装置１００と同様の構成要素には同一の参照符号を付し、その詳細な説明を省略する。
【００５８】
液晶表示装置２００は、信号輝度レベル検出部１０５を有せず、代わりに環境輝度レベル検出部２０５を有する点で、図１に示す液晶表示装置１００と構成上相違する。
【００５９】
環境輝度レベル検出部２０５は、液晶表示装置２００が設置された環境における環境光の輝度レベルを環境光の特徴量として検出するセンサである。
【００６０】
実施の形態１では、映像信号の特徴量に基づいてＬＥＤ駆動パルス制御を行っていたのに対し、本実施の形態では、環境光の特徴量に基づいてＬＥＤ駆動パルス制御を行う。その他の詳細については、本実施の形態と実施の形態１とは同様であるため、詳細な説明を省略する。
【００６１】
以上のように、本実施の形態によれば、環境光の特徴量に基づいてＬＥＤ駆動パルス制御を行う。例えば環境光の輝度レベルが低い場合には、黒の青みが目立ちやすくなるところ、本実施の形態では、白色ＬＥＤバックライト１０２の色温度を低下するようなＬＥＤ駆動パルス制御が行われる。また、環境光の輝度レベルが高い場合には、白色ＬＥＤバックライト１０２の色温度が上昇するようなＬＥＤ駆動パルス制御が行われる。よって、本実施の形態では、環境光の輝度レベルが高いときには、青く輝く白を表示画面に表示することができ、環境光の輝度レベルが低いときには、青みを抑えられた黒を表示画面に表示することができる。
【００６２】
なお、液晶表示装置２００の構成に、実施の形態１の液晶表示装置１００の構成を適宜組み合わせることができる。
【００６３】
以上、本発明の実施の形態について説明した。
【００６４】
なお、以上の説明は本発明の好適な実施の形態の例証であり、本発明の範囲はこれに限定されない。つまり、上記装置の構成及び使用時の動作についての説明は例であり、本発明の範囲においてこれらの例に対する様々な変更及び追加が可能であることは明らかである。
【産業上の利用可能性】
【００６５】
本発明の液晶表示装置は、液晶テレビ及び液晶モニタ等の液晶表示装置として利用することができる。
【図面の簡単な説明】
【００６６】
【図１】本発明の実施の形態１に係る液晶表示装置の構成を示すブロック図
【図２】本発明の実施の形態１に係る白色ＬＥＤバックライトの白色ＬＥＤ配列を示す図
【図３】本発明の実施の形態１に係るＬＥＤ駆動パルスを示す図
【図４】本発明の実施の形態１に係るＬＥＤ駆動パルス制御を示すフロー図
【図５】本発明の実施の形態１に係るＬＥＤ駆動パルスの電流値とパルス幅とを決定する処理を示すフロー図
【図６】本発明の実施の形態１に係る電流値とデューティ比との双方が可変されたＬＥＤ駆動パルスを示す図
【図７】ＹＡＧ系蛍光体を有する白色ＬＥＤにおける順方向電流と色度点との関係を示す色度図
【図８】シリケート系蛍光体を有する白色ＬＥＤにおける順方向電流と色度点との関係を示す色度図
【図９】液晶パネルにおける入力映像信号と色度点との関係を示す色度図
【図１０】本発明の実施の形態１に係る電流値のみが可変されたＬＥＤ駆動パルスを示す図
【図１１】本発明の実施の形態２に係る液晶表示装置の構成を示すブロック図
【符号の説明】
【００６７】
１００、２００  液晶表示装置
１０１  液晶パネル
１０２  白色ＬＥＤバックライト
１０３  白色ＬＥＤ駆動部
１０４  制御データ演算部
１０５  信号輝度レベル検出部
２０５  環境輝度レベル検出部
【図１】
2010032732.tif 000003
【図２】
2010032732.tif 000004
【図３】
2010032732.tif 000005
【図４】
2010032732.tif 000006
【図５】
2010032732.tif 000007
【図６】
2010032732.tif 000008
【図７】
2010032732.tif 000009
【図８】
2010032732.tif 000010
【図９】
2010032732.tif 000011
【図１０】
2010032732.tif 000012
【図１１】
2010032732.tif 000013